(57)【要約】      （修正有）【課題】主物品に添付される副物品を、簡単な作業で安定して保持されるように梱包できるホルダー機能付き仕切を提供する。【解決手段】ホルダー機能付き仕切は、段ボールを材料とし、主物品である飲料容器Ｇ１の収納空間を区画する仕切壁１と、副物品であるボンベＧ２の保持空間を形成する保持片２とを備え、仕切壁１は、仕切板３、４が一本罫５ａ及び二股罫５ｂを軸に折れ重なり、二股罫５ｂの間の三角状の受止部６が仕切板３、４から折れ曲がった構成とされ、保持片２は、仕切板３、４から対をなすように延出され、二股罫５ｂの離間端にわたりその両側方へ延びる切目７と、保持片２の付根として切目７の端部へ向かう逆折罫８とが入れられたものとする。保持片２を逆折罫８を軸に観音開き状に折り曲げて、ボンベＧ２を保持片２で挟み込むと共に、切目７に臨む受止部６及びその両側の仕切板３、４の端縁で受け止める。【選択図】図１
0003234146.tif 000002
【実用新案登録請求の範囲】
【請求項１】
段ボールを材料とし、主物品の収納空間を区画する仕切壁(1)と、副物品の保持空間を形成する保持片(2)とを備え、
前記仕切壁(1)は、連設された仕切板(3,4)が一本罫(5a)及びその端部から分岐する二股罫(5b)を軸に折り曲げられて重なり合い、前記二股罫(5b)の間の部分に形成された三角状の受止部(6)が前記仕切板(3,4)から折れ曲がった構成とされ、
前記保持片(2)は、前記重なり合う仕切板(3,4)から対をなすように延出され、
前記二股罫(5b)の離間端にわたりその両側方へ延びる切目(7)と、前記保持片(2)の付根として前記切目(7)の端部へ向かう逆折罫(8)とが入れられ、
前記対をなす保持片(2)を前記逆折罫(8)を軸に観音開き状に折り曲げて、副物品を前記保持片(2)で挟み込むと共に、前記切目(7)に臨む前記受止部(6)及びその両側の前記仕切板(3,4)の端縁で受け止めるホルダー機能付き仕切。
【請求項２】
前記段ボールの中芯の段目方向は、前記一本罫(5a)及び前記二股罫(5b)を横切る方向へ向けられていることを特徴とする請求項１に記載のホルダー機能付き仕切。
【請求項３】
複数枚の段ボールのブランクから成り、それぞれのブランクが請求項１又は２に記載の仕切である単位仕切(11,12)をなし、
前記単位仕切(11,12)には、前記仕切壁(1)に互い違いの噛合溝(9)が形成され、
前記噛合溝(9)に前記仕切壁(1)を相互に差し込むことにより、前記単位仕切(11,12)を組み合わせて構成されていることを特徴とするホルダー機能付き仕切。
【考案の詳細な説明】
【技術分野】
【０００１】
この考案は、梱包する主物品の収納空間を区画すると共に、添付される副物品を保持するホルダー機能を備えた仕切に関するものである。
【背景技術】
【０００２】
梱包する物品を所定の位置に保持する機能を備えた仕切として、下記特許文献１には、図１０に示すように、スピーカーユニットＳの梱包に使用するものが記載されている。
【０００３】
この仕切は、仕切壁５１が仕切板５２を折り重ねたものとされ、仕切板５２を高さ方向の上端から途中まで切り込み、この切込に臨んで対をなす保持片５３を形成し、保持片５３を仕切板５２から起こした状態で、外箱Ｂ５の内部に設置される。そして、対をなす保持片５３の間にスピーカーユニットＳのマグネット部を嵌め込むと、スピーカーユニットＳが外箱Ｂ５の内部の所定の位置に保持される。
【０００４】
また、添付される副物品を保持するホルダー機能を備えた仕切として、下記特許文献２には、図１１に示すように、主物品である商品としての飲料パックＰ１と、副物品である試飲用の小さな飲料瓶Ｐ２の梱包に使用するものが記載されている。
【０００５】
この仕切は、第１仕切板６１と第２仕切板６２とを井桁状に組み合わせ、第１仕切板６１に第２仕切板６２から間隔をあけてスペーサ６３を組み合わせた状態で、外箱Ｂ６の内部に設置され、第１仕切板６１、第２仕切板６２及びスペーサ６３で区画された収納空間に飲料パックＰ１を収納すると共に、スペーサ６３の山型部６３ａに挟まれた平坦部６３ｂに飲料瓶Ｐ２を載置するものである。
【先行技術文献】
【特許文献】
【０００６】
【特許文献１】実開昭６１―１４４０９４号公報
【特許文献２】特開２００７―３３１８２８号公報
【考案の概要】
【考案が解決しようとする課題】
【０００７】
ところで、図１０に示すような仕切は、主物品と共に副物品を収納する梱包形態を想定したものではないため、対をなす保持片５３の間に副物品を嵌め込んで仕切板５２の端縁で支えるように保持することは困難である。
【０００８】
また、図１１に示すような仕切は、主物品に添付される副物品をスペーサ６３の平坦部６３ｂで安定して支持できるものの、組み立てに際し、分離した多くの構成部材を組み合わせる必要があり、作業が煩雑になるという問題がある。
【０００９】
そこで、この考案は、主物品に添付される副物品を、簡単な作業で安定して保持されるように梱包できるホルダー機能付き仕切を提供しようとするものである。
【課題を解決するための手段】
【００１０】
上記課題を解決するため、この考案は、段ボールを材料とし、主物品の収納空間を区画する仕切壁と、副物品の保持空間を形成する保持片とを備え、
前記仕切壁は、連設された仕切板が一本罫及びその端部から分岐する二股罫を軸に折り曲げられて重なり合い、前記二股罫の間の部分に形成された三角状の受止部が前記仕切板から折れ曲がった構成とされ、
前記保持片は、前記重なり合う仕切板から対をなすように延出され、
前記二股罫の離間端にわたりその両側方へ延びる切目と、前記保持片の付根として前記切目の端部へ向かう逆折罫とが入れられ、
前記対をなす保持片を前記逆折罫を軸に観音開き状に折り曲げて、副物品を前記保持片で挟み込むと共に、前記切目に臨む前記受止部及びその両側の前記仕切板の端縁で受け止めるホルダー機能付き仕切を提供することとしたのである。
【００１１】
また、前記段ボールの中芯の段目方向は、前記一本罫及び前記二股罫を横切る方向へ向けられているものとしたのである。
【００１２】
また、複数枚の段ボールのブランクから成り、それぞれのブランクが上記のような仕切である単位仕切をなし、
前記単位仕切には、前記仕切壁に互い違いの噛合溝が形成され、
前記噛合溝に前記仕切壁を相互に差し込むことにより、前記単位仕切を組み合わせて構成されているものとしたのである。
【考案の効果】
【００１３】
この考案に係るホルダー機能付き仕切は、仕切壁の二股罫により仕切板に対して角度をなす受止部が形成されるので、主物品と共に収納される副物品が保持片で挟み込まれた状態で、切目に臨む受止部及びその両側の仕切板の端縁で支えられ、安定して保持される。
【００１４】
そして、梱包状態において、外箱と主物品との間に生じる隙間を副物品の保持空間として利用できるので、外箱の内部の空間を有効に活用できる。
【００１５】
また、副物品の保持空間を形成するためのスペーサー等の別部材を組み合わせる必要がないため、簡単な作業で組み立てることができ、梱包作業の負荷を軽減できる。
【図面の簡単な説明】
【００１６】
【図１】この考案の第１実施形態に係るホルダー機能付き仕切による飲料容器とボンベ（各４本）の梱包形態を示す斜視図
【図２】同上の仕切のブランクを示す図
【図３】同上の組立過程を示す斜視図
【図４】同上の組立状態を示す斜視図
【図５】この考案の第２実施形態に係るホルダー機能付き仕切による飲料容器とボンベ（各２本）の梱包形態を示す斜視図
【図６】同上の仕切のブランクを示す図
【図７】同上の組立状態を示す斜視図
【図８】同上の梱包形態を外箱を寝かせた状態で示す斜視図
【図９】この考案の第３実施形態に係るホルダー機能付き仕切を概念的に示す斜視図
【図１０】特許文献１に記載の仕切による梱包形態を示す平面図
【図１１】特許文献２に記載のホルダー機能付き仕切による梱包形態を示す斜視図
【考案を実施するための形態】
【００１７】
以下、この考案の実施形態を添付図面に基づいて説明する。
【００１８】
＜第１実施形態＞
（概要）
図１に示すように、この考案の第１実施形態に係るホルダー機能付き仕切１０は、２枚の単位仕切１１，１２が十字状に組み合わされ、主物品である樽型の飲料容器Ｇ１と、副物品である炭酸ガスが封入された小型のボンベＧ２とを、４本ずつ外箱Ｂ１に収納して梱包するものである。ボンベＧ２に封入されている炭酸ガスは、飲料容器Ｇ１に詰められているビールを加圧してサーバーから吐出させるものである。
【００１９】
（ブランク）
単位仕切１１，１２は、図２に示すような段ボールのブランクから成り、段ボールの波状の中芯の段頂が延びる段目方向は、横方向へ向けられている。これらのブランクは、飲料容器Ｇ１の収納空間を区画する仕切壁１となる部分と、小型のボンベＧ２の保持空間を形成する保持片２とを備えたものである。
【００２０】
単位仕切１１，１２の仕切壁１となる部分は、後述のように折り重ねたとき一面側となる幅の広い仕切板３の両側に、他面側となる幅の狭い仕切板４を連設し、仕切板３，４の間に一本罫５ａ及びその端部から分岐する二股罫５ｂを入れ、二股罫５ｂの間の部分を三角状の受止部６としたものとされている。一本罫５ａと二股罫５ｂとは、段ボールを裏面から厚さ方向に押圧した押罫とされている。
【００２１】
保持片２は、仕切板３，４から対をなすように延出され、保持片２の下端を形成するように二股罫５ｂの離間端にわたりその両側方へ延びる切目７と、保持片２の付根として仕切板３，４の上端縁から切目７の端部へ向かう逆折罫８とが入れられている。切目７の両端部は上方へ傾斜し、逆折罫８は、押罫と切目とが断続するリード罫とされている。
【００２２】
保持片２の上端縁は、先端側へ向かって漸次深く切り込まれた傾斜縁２ａとされ、仕切壁１をなす仕切板３，４の下端縁にも、一本罫５ａへ向かって漸次深く切り込まれた傾斜縁１ａが形成されている。
【００２３】
単位仕切１１の仕切板３には、下端中央部から上方へ延びる噛合溝９が形成され、単位仕切１２の仕切板３には、上端中央部から下方へ延びる噛合溝９が形成されている。これらの噛合溝９は、仕切壁１の高さ方向の寸法の１／２程度の長さとされている。
【００２４】
単位仕切１１の一方の仕切板４には、先端側の上半部に押当片４ａが突設され、単位仕切１２の一方の仕切板４には、先端側の下半部に押当片４ａが突設されている。そして、後述のように仕切板３と両側の仕切板４を折り重ねたとき、一方の仕切板４の押当片４ａは他方の仕切板４の先端部に重なるが、両側の仕切板４の他の部分同士は重ならず、噛合溝９が仕切板４で覆われないようになっている。
【００２５】
また、単位仕切１１，１２の押当片４ａと他の仕切板４の先端部（図２の斜線を付した部分）には、段ボールの中芯を厚さ方向に押し潰す段潰し加工が施されている。
【００２６】
（ブランクからの組み立て）
上記のようなブランクから仕切１０を組み立てるには、図３に示すように、単位仕切１１，１２において、仕切板３とその両側の仕切板４とを、一本罫５ａ及び二股罫５ｂを軸に折り重ねて仕切壁１を構成し、図４に示すように、噛合溝９に仕切壁１を相互に差し込むことにより、単位仕切１１，１２を組み合わせる。
【００２７】
このとき、一方の仕切板４の押当片４ａを他方の仕切板４の先端部に押し付けると、仕切板３と両側の仕切板４との重合状態を維持することができるので、単位仕切１１，１２を容易に組み合わせることができる。
【００２８】
また、段ボールの段目方向が一本罫５ａを横切っているので、仕切板３，４が段ボールの中芯の波形に影響されることなく、一本罫５ａを軸として正確に折り重ねられる。さらに、一本罫５ａから二股罫５ｂが分岐しているので、一本罫５ａを中心軸として二股罫５ｂの両側が均等に折れ曲がり、片折れすることがない。
【００２９】
また、段ボールの段目方向が二股罫５ｂを横切っているので、仕切板３，４の二股罫５ｂを軸とする折り重ねに伴い、対をなす保持片２は、段ボールの中芯の反発を受けて、先端間に僅かな隙間が生じるように、逆折罫８を軸として開いた状態となる。
【００３０】
なお、仕切１０をユーザーである飲料メーカーに納品する際には、単位仕切１１，１２を組み合わせた状態で、重ね合わせることにより、嵩張らないように偏平化しておく。
【００３１】
（仕切を使用した梱包）
図１に示すように、仕切１０を使用して、各４本の飲料容器Ｇ１とボンベＧ２とを梱包する際には、仕切１０を平面形状が正方形の外箱Ｂ１の内部に設置する。その際、仕切壁１の下端角部に傾斜縁１ａが形成されているので、天面を開口させた外箱Ｂ１に仕切１０を上方から容易に挿入できる。
【００３２】
次に、仕切壁１によって区画された外箱Ｂ１の収納空間に、４本の飲料容器Ｇ１を２本ずつ縦横に配列して挿入し、その後、仕切壁１の両側上部に形成された対をなす保持片２の間の保持空間に、４本のボンベＧ２を１本ずつ挿入する。
【００３３】
このとき、対をなす保持片２は、段ボールの段目の影響により、先端間に僅かな隙間が生じるように開いており、また、上端に傾斜縁２ａが形成され、ボンベＧ２の下部は半球状となっているので、ボンベＧ２を対をなす保持片２の間に押し込むだけで、保持片２が受動的に拡開して、ボンベＧ２が保持片２で挟み込まれる。
【００３４】
（仕切の効果）
上記のようなホルダー機能付き仕切１０は、仕切壁１の二股罫５ｂにより仕切板３，４に対して角度をなす受止部６が形成されるので、主物品の飲料容器Ｇ１と共に収納される副物品のボンベＧ２が保持片２で挟み込まれた状態で、切目７に臨む受止部６及びその両側の仕切板３，４の端縁で支えられ、安定して保持される。
【００３５】
そして、梱包状態において、外箱Ｂ１と飲料容器Ｇ１との間に生じる隙間をボンベＧ２の保持空間として利用できるので、外箱Ｂ１の内部の空間を有効に活用できる。
【００３６】
また、ボンベＧ２の保持空間を形成するためのスペーサー等の別部材を組み合わせる必要がないため、簡単な作業で組み立てることができ、梱包作業の負荷を軽減することができるほか、材料に要するコストを削減することができる。
【００３７】
なお、この第１実施形態では、各１枚の単位仕切１１，１２を組み合わせたものを例示したが、収納する物品の入数に応じて、これらの枚数を変更して組み合わせるとよい。
【００３８】
＜第２実施形態＞
（概要）
図５に示すように、この考案の第２実施形態に係るホルダー機能付き仕切２０は、主物品である樽型の飲料容器Ｇ１と、副物品である炭酸ガスが封入された小型のボンベＧ２とを２本ずつ外箱Ｂ２に収納して梱包するものであり、外箱Ｂ２は、第１実施形態における外箱Ｂ１と比較して、奥行が半分程度の大きさとされている。
【００３９】
（ブランク）
この仕切２０は、図６に示すような１枚の段ボールのブランクのみから成り、その構成は第１実施形態の単位仕切１１，１２とほぼ共通であるので、以下、第１実施形態との相違点について言及するに留める。
【００４０】
仕切２０のブランクでは、第１実施形態のような噛合溝９がなく、後述のように仕切板３と両側の仕切板４を折り重ねたとき、一方の仕切板４と他方の仕切板４の先端部同士が全体的に重なり合う。押当片４ａは、仕切壁１の下方に位置しており、その上端から仕切板４に切込４ｂが入れられている。
【００４１】
（ブランクからの組み立て）
図７に示すように、仕切板３とその両側の仕切板４とを、一本罫５ａ及び二股罫５ｂを軸に折り重ねて仕切壁１を構成する際、一方の仕切板４の先端部に他方の仕切板４の先端部を重ねた後、一方の仕切板４の押当片４ａを他方の仕切板４の先端部に乗り上げるように撓ませて重ね、切込４ｂに他方の仕切板４の先端部を噛み込ませる。
【００４２】
なお、仕切２０をユーザーである飲料メーカーに納品する際には、積み重ねても嵩張らないように、図６に示す組み立て前のブランクの状態としておく。
【００４３】
（仕切を使用した梱包）
図５に示すように、仕切２０を使用して、各２本の飲料容器Ｇ１とボンベＧ２とを梱包する際には、まず、外箱Ｂ２に２本の飲料容器Ｇ１を挿入し、次に、２本の飲料容器Ｇ１の間に仕切２０を差し込んで、仕切壁１で区画された外箱Ｂ２の収納空間に２本の飲料容器Ｇ１がそれぞれ１本ずつ収納された状態とし、その後、仕切壁１の両側上部に形成された対をなす保持片２の間の保持空間に、２本のボンベＧ２を１本ずつ挿入する。
【００４４】
このような手順とするのは、外箱Ｂ２に飲料容器Ｇ１よりも先に仕切２０を挿入した場合、仕切２０が倒れないように手で支えておかなければならず、飲料容器Ｇ１を挿入しにくくなるからである。
【００４５】
（仕切の効果）
上記のようなホルダー機能付き仕切２０を使用して、外箱Ｂ２により各２本の飲料容器Ｇ１及びボンベＧ２を梱包した形態では、図８に示すように、外箱Ｂ２を横倒しにした状態で、輸送時に外箱Ｂ２を安定して積み上げることができる。このように外箱Ｂ２を横倒しにした状態でも、ボンベＧ２は保持片２で挟み込まれ、切目７に臨む受止部６及び仕切板３，４の端縁と、外箱Ｂ２の内面とで水平方向へ移動しないように保持される。
【００４６】
＜第３実施形態＞
上記第１及び第２実施形態では、仕切壁１の両側上部に保持片２による副物品の保持空間が形成されたものを例示したが、この考案によると、図９に示す仕切３０のような構成とすることも可能である。
【００４７】
この仕切３０は、仕切壁１を構成する仕切板３，４の折曲軸となる一本罫５ａ及び二股罫５ｂを、仕切壁１の稜部の中間部で受止部６が対向するように入れて、受止部６の間の部分において対をなす保持片２により、副物品の保持空間が形成されるものとしている。このような仕切３０は、対をなす保持片２の間に挟み込んだ副物品を、対向する受止部６で両端方向へ移動しないように保持することができる。
【００４８】
＜その他＞
上記各実施形態では、対をなす保持片２が同一形状・大きさのものを例示したが、対をなす保持片２は、形状や大きさが異なるものであってもよい。また、ブランクの状態で先端同士が突き合わされていなくてもよい。
【００４９】
また、上記第１及び第２実施形態では、梱包される主物品として飲料容器Ｇ１を例示するとともに、副物品としてボンベＧ２を例示したが、この考案に係る仕切は、他の物品の梱包にも適用することができる。特に、この考案の実施形態に係る仕切では、主物品に添付される副物品が小型で重いものであっても、安定して保持できることから、筐体等の主物品と共に金属製の小さな機械部品等を副物品として梱包することができる。
【符号の説明】
【００５０】
１  仕切壁
１ａ  傾斜縁
２  保持片
２ａ  傾斜縁
３，４  仕切板
４ａ  押当片
４ｂ  切込
５ａ  一本罫
５ｂ  二股罫
６  受止部
７  切目
８  逆折罫
９  噛合溝
１０，２０，３０  仕切
１１，１２  単位仕切
Ｂ１，Ｂ２  外箱
Ｇ１  飲料容器
Ｇ２  ボンベ
【図１】
0003234146.tif 000003
【図２】
0003234146.tif 000004
【図３】
0003234146.tif 000005
【図４】
0003234146.tif 000006
【図５】
0003234146.tif 000007
【図６】
0003234146.tif 000008
【図７】
0003234146.tif 000009
【図８】
0003234146.tif 000010
【図９】
0003234146.tif 000011
【図１０】
0003234146.tif 000012
【図１１】
0003234146.tif 000013